(57)【要約】【課題】飾り枠による天板の美観の低下を防止することができ、更に、連結状態を確実に維持して組立容易な飾り枠を提供する。【解決手段】一対の横枠片８，１１と、一対の縦枠片９，１０とにより面板を囲う飾り枠３を構成する。縦枠片９，１０は、面板下面に沿った張出部３９，４２と、面板に沿って起立する薄板状の壁板部４０，４３とを備える。横枠片８，１１は、各縦枠片９，１０に連結する基枠部材１２，２４と、基枠部材１２，２４に装着するカバー部材１３，２５とを備える。カバー部材１３，２５は、基枠部材１２，２４の一端から他端に向かってスライドさせることにより基枠部材１２，２４に装着される。【選択図】図３
2005188908.tif 000002
【特許請求の範囲】
【請求項１】
コンロ本体の上部を覆う面板の外周に設けて該面板と共にコンロの天板を構成し、前記面板の前後側縁に沿って延びる一対の横枠片と、前記面板の左右側縁に沿って延びる一対の縦枠片とを備えるコンロの天板の飾り枠において、
前記縦枠片は、面板の側縁部下面に沿って張り出す張出部と、該張出部の外縁から面板の側縁に沿って起立する薄板状の壁板部とを備え、
前記横枠片は、各縦枠片に連結する基枠部材と、該基枠部材に装着されて該基枠部材の上部を全長にわたって覆うカバー部材とを備え、
前記基枠部材は、面板の側縁部下面に沿って張り出す張出部と、該張出部から前方に延出する延出部とを備え、
前記カバー部材は、縦枠片と横枠片との連結部の上方及び前記基枠部材の延出部の上方を覆う縁面部と、該縁面部の後端縁から面板の側縁に沿って垂下する垂下壁部とを備え、
該カバー部材は、前記基枠部材と該カバー部材とのそれぞれの長手方向に形成されて互いに対応する凹凸係合による蟻溝嵌合構造により、前記基枠部材の一端から他端に向かってスライドさせて前記基枠部材に装着されることを特徴とするコンロの天板の飾り枠。
【請求項２】
前記蟻溝嵌合構造は、前記基枠部材が、該基枠部材の前記張出部と延出部との境界位置に沿って形成されて両端及び張出部側が開放された凹部と、該延出部の先端縁に沿って形成された凸部とを備え、前記カバー部材が、該カバー部材の前記垂下壁部に形成されて前記基枠部材の凹部に摺動自在に係合する係合凸部と、前記縁面部の先端に形成されて前記基枠部材の凸部に摺動自在に係合する係合凹部とを備えることによって構成されていることを特徴とする請求項１記載のコンロの天板の飾り枠。
【請求項３】
前記縦枠片の壁板部の端部は、前記カバー部材の裏面形状に対応する形状に形成され、該壁板部の板厚面が前記カバー部材の裏面側に非露出状態で当接されていることを特徴とする請求項１又は２記載のコンロの天板の飾り枠。
【請求項４】
前記縦枠片は、前記壁板部の下部に形成されたパッキン装着溝を備え、
前記横枠片は、前記基枠部材の延出部の下部に形成されたパッキン装着溝を備え、
前記縦枠片の端部と前記基枠部材の延出部の端部とは、互いに対応する傾斜角をもって切欠かれた当接部を介して両パッキン装着溝が連続していることを特徴とする請求項１乃至３の何れか１項記載のコンロの天板の飾り枠。
【発明の詳細な説明】
【技術分野】
【０００１】
本発明は、コンロ本体の上部に設けられた天板に備える飾り枠に関する。
【背景技術】
【０００２】
システムキッチンに取り付けられるビルトイン式コンロにおいては、例えば、下記特許文献１に見られるように、ガラス等により平坦に形成された面板と、該面板の外周に設けられた飾り枠とからなる天板を有するものが知られている。
【０００３】
この種のコンロに備える飾り枠は、互いに連結された４本の同一形状の枠片からなり、面板外周に額縁状に設けられる。互いに隣り合う枠片は、見栄え良く角部が形成されるように、４５°の傾斜角をもって切欠かれた端縁同士による当接部を形成している。
【０００４】
しかし、面板を飾り枠によって囲うものにおいては、飾り枠が目立って面板の面積が視覚的に狭く感じる場合がある。また、前記当接部においては、枠片に歪みが生じたときや、連結状態の精度が低下していたときには、当接部に隙間が生じたり、角部の先端に位置ズレが生じ、飾り枠の美観が低下するといった不都合があった。しかも、当接部は平面視状態で露出しており、調理の際に煮汁等が飾り枠の角部上に零れ落ちた場合には、当接部の間に煮汁等の汚れが付着しやすく、汚れ落としが煩わしい不都合がある。
【特許文献１】特開２００２−１３７３９号公報（図３、図４）
【発明の開示】
【発明が解決しようとする課題】
【０００５】
かかる不都合を解消して、本発明は、飾り枠による天板の美観の低下を防止することができ、更に、連結状態を確実に維持して組立容易な飾り枠を提供することを目的とする。
【課題を解決するための手段】
【０００６】
かかる目的を達成するために、本発明は、コンロ本体の上部を覆う面板の外周に設けて該面板と共にコンロの天板を構成し、前記面板の前後側縁に沿って延びる一対の横枠片と、前記面板の左右側縁に沿って延びる一対の縦枠片とを備えるコンロの天板の飾り枠において、前記縦枠片は、面板の側縁部下面に沿って張り出す張出部と、該張出部の外縁から面板の側縁に沿って起立する薄板状の壁板部とを備え、前記横枠片は、各縦枠片に連結する基枠部材と、該基枠部材に装着されて該基枠部材の上部を全長にわたって覆うカバー部材とを備え、前記基枠部材は、面板の側縁部下面に沿って張り出す張出部と、該張出部から前方に延出する延出部とを備え、前記カバー部材は、縦枠片と横枠片との連結部の上方及び前記基枠部材の延出部の上方を覆う縁面部と、該縁面部の後端縁から面板の側縁に沿って垂下する垂下壁部とを備え、該カバー部材は、前記基枠部材と該カバー部材とのそれぞれの長手方向に形成されて互いに対応する凹凸係合による蟻溝嵌合構造により、前記基枠部材の一端から他端に向かってスライドさせて前記基枠部材に装着されることを特徴とする。更に、前記蟻溝嵌合構造としての一態様は、前記基枠部材が、該基枠部材の前記張出部と延出部との境界位置に沿って形成されて両端及び張出部側が開放された凹部と、該延出部の先端縁に沿って形成された凸部とを備え、前記カバー部材が、該カバー部材の前記垂下壁部に形成されて前記基枠部材の凹部に摺動自在に係合する係合凸部と、前記縁面部の先端に形成されて前記基枠部材の凸部に摺動自在に係合する係合凹部とを備えることによって構成されていることを特徴とする。
【０００７】
本発明によれば、両縦枠片の薄板状の壁板部が前記面板の両側に沿って延びるので、両縦枠片が目立たず面板を広く見せることができる。また、両縦枠片と両横枠片とが連結されたとき、両縦枠片の端部と両横枠片の基枠部材の端部とが当接して角部となる。このとき、前記カバー部により角部の当接部分を覆うことができるので、その当接部分の位置ズレや隙間が比較的目立たなくなり、天板の外観を良好とすることができる。
【０００８】
更に、前記カバー部材は、いわゆる蟻溝嵌合構造、即ち、基枠部材の凹部に摺動自在に係合する係合凸部と、基枠部材の凸部に摺動自在に係合する係合凹部とにより基枠部材に確実に保持されるので、基枠部材とカバー部材とに隙間等が生じることを防止できると共にカバー部材の不用意な外れを防止することができる。しかも、カバー部材は、基枠部材の一端から他端に向かってスライドさせることで基枠部材に取り付けることができるので、飾り枠の組み立て作業を容易としてカバー部を基枠部材に一体的に取り付けることができる。
【０００９】
更にまた、横枠片をカバー部材と基枠部材とによって構成したことにより、カバー部材を例えばシステムキッチンの色と同色として美観を向上させることができる。このとき、複数色のカバー部材を用意しておき、所望の色のカバー部材を基枠部材に取り付ければよく、コストを低く抑えることができる。また、鍋等の落下によりカバー部材が損傷しても、基枠部材に対してカバー部をスライドさせてカバー部材のみを交換することができ、交換作業を容易に行うことができるだけでなく、基枠部材の交換は不要であるので交換にかかる部品コストも低く抑えることができる。
【００１０】
また、本発明において、前記縦枠片の壁板部の端部は、前記カバー部材の裏面形状に対応する形状に形成され、該壁板部の板厚面が前記カバー部材の裏面側に非露出状態で当接されていることを特徴とする。
【００１１】
本発明によれば、前記縦枠片の壁板部の板厚面はカバー部材の裏面側に非露出状態で当接される。これにより、飾り枠の角部における両縦枠片の端部と両横枠片の基枠部材の端部との当接部分は、万一位置ズレや隙間が生じていても、カバー部材によって確実に覆い隠されて、コンロ上部の美観を向上させることができる。しかも、調理の際に煮汁等が飾り枠の角部に零れ落ちても、前記縦枠片の壁板部とカバー部材との当接部分がカバー部材の裏面側に位置するので、煮汁等の汚れの付着を小とすることができる。
【００１２】
また、本発明においては、前記縦枠片は、前記壁板部の下部に形成されたパッキン装着溝を備え、前記横枠片は、前記基枠部材の延出部の下部に形成されたパッキン装着溝を備え、前記縦枠片の端部と前記基枠部材の延出部の端部とは、互いに対応する傾斜角をもって切欠かれた当接部を介して両パッキン装着溝が連続していることを特徴とする。
【００１３】
本発明によれば、前記縦枠片の端部と前記基枠部材の延出部の端部との当接部は、互いに対応する傾斜角をもって切欠かれ、これによって、両パッキン装着溝が連続するので、飾り枠下部の全周にわたってパッキンを装着することができる。このとき、前記縦枠片の端部と前記基枠部材の延出部の端部との当接部に万一位置ズレや隙間が生じていても、カバー部材によって確実に覆い隠すことができるので、美観を損なうことなく角部において両パッキン装着溝を連続させることができる。
【発明を実施するための最良の形態】
【００１４】
本発明の一実施形態を図面に基づいて説明する。図１は本実施形態の天板を示す説明的平面図、図２は飾り枠の説明的平面図、図３は飾り枠の分解説明図、図４は前枠片の基枠部材とカバー部材の断面形状を示す図３のIV−IV線断面説明図、図５は後枠片の基枠部材とカバー部材の断面形状を示す図３のＶ−Ｖ線断面説明図、図６は左側枠片の断面形状を示す図３のVI−VI線断面説明図、図７は右側枠片の断面形状を示す図３のVII−VII線断面説明図、図８は飾り枠の角部の一例を示す説明的底面図、図９は飾り枠の角部の他の例を示す説明的底面図、図１０は飾り枠の角部を示す説明的斜視図、図１１はカバー部材の一端部を示す説明的斜視図である。
【００１５】
本発明の実施形態における天板１は、図示しないコンロ本体の上部に設けられるものであり、図１に示すように、面板２と飾り枠３とを備えている。面板２は、例えばガラス等によって平坦に形成されており、コンロに備えられたバーナ（図示せず）が露出するバーナ用開口４が複数形成されている。飾り枠３は、面板２の全周に取り付けられている。面板２と飾り枠３との間には面板２の全周にわたってコーキング材５（図４乃至図７において仮想線により示す）が充填されている。また、面板２の後方には排気用ガード６が載置されている。排気用ガード６は後述するように飾り枠３に形成された排気用開口７（図２参照）への異物の落下等を防止するものである。
【００１６】
飾り枠３は、図１及び図２に示すように、面板２の前端縁に沿って延びる前枠片８（横枠片）と、面板２の左端縁に沿って延びる左側枠片９（縦枠片）と、面板２の右端縁に沿って延びる右側枠片１０（縦枠片）と、面板２の後側に設けられる後枠片１１（横枠片）とを備えている。
【００１７】
前枠片８は、図３に示すように、基枠部材１２とカバー部材１３とによって構成されている。図４に示すように、基枠部材１２は、内方に水平に張り出して面板２を支持する張出部１４と、前方に延出する延出部１５とを備えている。図３に示すように、張出部１４の左右両端部には一対のカシメ凹部１４ａ，１４ｂが切欠形成されている。また、基枠部材１２には、図４に示すように、張出部１４と延出部１５との境界位置に沿って凹部１６が形成されている。凹部１６は、その両端及び張出部１４側が開放されて溝状に延びている。延出部１５にはその前方に突出する凸部１７が形成されている。凸部１７は、延出部１５の先端縁に沿って延設されている。延出部１５の底部には、パッキン１８を装着するパッキン装着溝１９が形成されている。パッキン装着溝１９は、延出部１５の長手方向に沿って延設されている。該基枠部材１２は、アルミニウム材の引き抜き加工により形成され、一対のカシメ凹部１４ａ，１４ｂはプレス成形により形成される。
【００１８】
カバー部材１３は、図４に示すように、基枠部材１２の延出部１５の上方を全長にわたって覆う縁面部２０を備えている。縁面部２０の後端縁には垂下壁部２１が形成されている。垂下壁部２１の下端縁には水平方向に突出して基枠部材１２の凹部１６に係合する係合凸部２２が形成されている。縁面部２０の先端には、基枠部材１２の先端縁を抱き込むようにして基枠部材１２の凸部１７に係合する係合凹部２３が形成されている。そして、カバー部材１３は、係合凸部２２及び係合凹部２３をそれぞれ基枠部材１２の凹部１６及び凸部１７に係合させた状態で基枠部材１２の一端から他端に向かってスライドさせることによって基枠部材１２に極めて容易に取り付けられる。これによってカバー部材１３は、図４に仮想線示するように、係合凸部２２及び係合凹部２３が基枠部材１２の凹部１６及び凸部１７に係合状態にあるので、基枠部材１２から不用意に外れることがなく基枠部材１２に一体的に取り付けられる。なお、このときの基枠部材１２とカバー部材１３との係合状態は、全体的にみれば、基枠部材１２が凹部１６から凸部１７にわたって大きな蟻ほぞ状の凸部を構成しており、カバー部材１３が係合凸部２２から係合凹部２３にわたって大きな蟻溝状の凹部を構成しているので、いわゆる蟻溝嵌合構造となっている。
【００１９】
後枠片１１は、図２及び図３に示すように、基枠部材２４とカバー部材２５とによって構成されている。基枠部材２４は、図３に示すように、面板２の後端縁に沿って延びる第１後枠部２６と、第１後枠部２６に平行に延びる第２後枠部２７とを備え、更に第１後枠部２６と第２後枠部２７との間に平面視大略矩形状の平板部２８を備えている。該基枠部材２４は、アルミニウム材の引き抜き加工により形成されたものであり、これによって、第１後枠部２６と第２後枠部２７と平板部２８とは一体に連設されている。平板部２８にはコンロ本体（図示せず）に連通する排気用開口７がプレス成形により形成されている。該開口７は、図示しないが、例えば、コンロ本体に内蔵されたグリル庫の排気を行なうものとして設けられるものである。また、図５に示すように、前枠片８と同様に、第２後枠部２７は、その後方に延出する延出部２９を備えている。また、第２後枠部２７には、平板部２８と延出部２９との境界位置に沿って凹部３０が形成されている。凹部３０は、その両端及び平板部２８側が開放されて溝状に延びている。更に、第２後枠部２７には、延出部２９の後方に向かって突出する凸部３１が形成されている。第１後枠部２６は、図５に示すように、平板部２８に沿って起立して面板２に当接する当接壁３２と、当接壁３２の下縁から前方に向かって水平に張り出す張出部３３とが形成されている。図３に示すように、張出部３３の左右両端部にはプレス成形による一対のカシメ凸部３３ａ，３３ｂが突出形成され、平板部２８の左右両端部にはプレス成形による一対のカシメ凹部２８ａ，２８ｂが形成されている。また、図５に示すように、延出部２９の底部には、延出部２９の長手方向に沿ってパッキン１８を装着するパッキン装着溝３４が延設されている。
【００２０】
カバー部材２５は、前述した前枠片８のカバー部材１３と同一形状であり、図５に示すように、基枠部材２４の延出部２９の上方を全長にわたって覆う縁面部３５と、縁面部３５の後端縁に形成された垂下壁部３６とを備えている。また、垂下壁部３６の下端縁には水平方向に突出して基枠部材２４の凹部３０に係合する係合凸部３７が形成されており、縁面部３５の先端には、基枠部材２４の先端縁を抱き込むようにして基枠部材２４の凸部３１に係合する係合凹部３８が形成されている。カバー部材２５は、係合凸部３７及び係合凹部３８をそれぞれ基枠部材２４の凹部３０及び凸部３１に係合させた状態で基枠部材２４の一端から他端に向かってスライドさせることによって、図５に仮想線示するように基枠部材２４に一体的に取り付けられる。なお、本実施形態におけるカバー部材１３，２５はいずれもアルミニウム材により形成されており、基枠部材１２，２７と異なる塗装色としてもよく、これによってシステムキッチン等の色味を合わせて美観を向上させることができる。また、カバー部材１３，２５はアルミニウム材以外に合成樹脂により形成してもよい。
【００２１】
左側枠片９は、図３及び図６に示すように、内方に水平に張り出して面板２を支持する張出部３９と、張出部３９の外縁から面板２の左側縁に沿って起立する薄板状の壁板部４０とを備えている。壁板部４０は更に後枠片１１の平板部２８の左側縁を経て第２後枠部２７にわたって延びている。壁板部４０の下端部（本実施形態において正確には壁板部４０と張出部３９との境界下部）には、パッキン１８を装着するパッキン装着溝４１が形成されている。パッキン装着溝４１は、張出部３９の長手方向に沿って延設されている。図３に示すように、左側枠片９の張出部３９には、前枠片８の張出部１４に形成されているカシメ凹部１４ａに対応するカシメ凸部３９ａと、後枠片１１の張出部３３に形成されているカシメ凸部３３ａに対応するカシメ凹部３９ｂと、平板部２８に形成されているカシメ凹部２８ａに対応するカシメ凸部３９ｃとが形成されている。左側枠片９は、アルミニウム材の引き抜き加工により形成されたものであり、カシメ凸部３９ａ、カシメ凹部３９ｂ及びカシメ凸部３９ｃはプレス成形により形成されている。
【００２２】
右側枠片１０は、図３及び図７に示すように、左側枠片９と左右対称となる形状に形成されており、内方に水平に張り出して面板２を支持する張出部４２と、張出部４２の外縁から面板２の右側縁に沿って起立する薄板状の壁板部４３とを備えている。壁板部４３は更に後枠片１１の平板部２８の右側縁を経て第２後枠部２７にわたって延びている。図７に示すように、壁板部４３の下端部（本実施形態において正確には壁板部４３と張出部４２との境界下部）には、パッキン１８を装着するパッキン装着溝４４が形成されている。パッキン装着溝４４は、張出部４２の長手方向に沿って延設されている。図３に示すように、右側枠片１０の張出部４２には、前枠片８の張出部１４に形成されているカシメ凹部１４ｂに対応するカシメ凸部４２ａと、後枠片１１の張出部３３に形成されているカシメ凸部３３ｂに対応するカシメ凹部４２ｂと、平板部２８に形成されているカシメ凹部２８ｂに対応するカシメ凸部４２ｃとが形成されている。
【００２３】
以上の構成による飾り枠３を組み立てるときには、先ず、前枠片８の基枠部材１２にカバー部材１３を取り付け、同じように後枠片１１の基枠部材２４にカバー部材２５を取り付ける。このとき、カバー部材１３，２５は基枠部材１２，２４の長手方向にスライドさせるだけで基枠部材１２，２４に取り付けられる。なお、カバー部材１３，２５は、システムキッチン等の色味を合わせて選択された色のものを取り付けることが好ましい。
【００２４】
次いで、図２を参照して説明すれば、前枠片８の両端部に左側枠片９と右側枠片１０とを連結する。このとき、前枠片８の張出部１４に形成された各カシメ凹部１４ａ，１４ｂと、両側枠片９，１０の各張出部３９，４２に形成されたカシメ凸部３９ａ，４２ａとをカシメ嵌合させる。続いて、両側枠片９，１０の後端部に後枠片１１を連結する。即ち、両側枠片９，１０の各張出部３９，４２に形成されたカシメ凹部３９ｂ，４２ｂと、後枠片１１の第１後枠部２６の張出部３３に形成された各カシメ凸部３３ａ，３３ｂとをカシメ嵌合させる。同時に、両側枠片９，１０の後端部に形成された各カシメ凸部３９ｃ，４２ｃと、後枠片１１の平板部２８に形成されたカシメ凹部２８ａ，２８ｂとをカシメ嵌合させる。これにより、図２に示すように、飾り枠３が形成される。
【００２５】
こうして各枠片が連結されて飾り枠３が形成されたとき、図８に一部を示すように、飾り枠３の角部には各枠片の端縁同士が当接する当接部４５が形成される。該当接部４５においては、互いに対応する４５°の傾斜角をもって切欠かいておくことで、パッキン装着溝１９，４４が連続する。これによって、パッキン装着溝１９，４４に装着されたパッキン１８の端縁が露出することなく、外観上好ましい。なお、該当接部４５は、図９に一部を示すように、各枠片の端縁を傾斜して切り欠くことなく当接させ、パッキン装着溝４４の一部を削り取っておくことでもパッキン装着溝１９，４４を連続させることができる。また、図８及び図９は飾り枠３の前右角部の底面のみを示しているが、他の３箇所の角部も同様である。一方、当接部４５は、僅かな飾り枠３の歪みによって隙間が生じるおそれがあるが、図１０に示すように、各角部がカバー部材１３，２５により覆われて露出することがないので、図８及び図９に示す当接部４５に隙間が生じても、美観が損なわれることはない。また、図１０に示すように、右側枠片１０（及び左側枠片９）の壁板部４３（４０）の前後の端部４６を、カバー部材１３（２５）の裏面形状に対応する形状とし、壁板部４３（４０）の板厚面４７をカバー部材１３（２５）の裏面側に当接させることで、カバー部材１３（２５）によって壁板部４３（４０）の板厚面４７を覆い隠すことができるので、カバー部材１３（２５）と壁板部４３（４０）との当接部分への汚れの付着等を確実に防止することができる。
【００２６】
更に、図１に示すように、面板２の両側に沿った両側枠片９，１０の壁板部４０，４３は薄板状であるので、両側枠片９，１０が目立たず面板２を広く見せることができる。
【００２７】
なお、図１１に一部を示すように、カバー部材１３（２５）の両端の垂下壁部２１（３６）の一部と係合凸部２２（３７）とが両側枠片９，１０の厚み分切り欠いた切り欠き４８が形成されており、これによって飾り枠３を組み立てた後には、図１０に示すように、カバー部材１３（２５）の不用意な外れが防止される。
【００２８】
また、本実施形態においては、図２及び図３に示すように、後枠片１１の基枠部材２４として第１後枠部２６、第２後枠部２７、及び平板部２８を備えるものを採用したが、排気用開口７を設けない場合には、前枠片８と同形状の枠片を後枠片１１として採用してもよい。
【図面の簡単な説明】
【００２９】
【図１】本発明の一実施形態の天板を示す説明的平面図。
【図２】飾り枠の説明的平面図。
【図３】飾り枠の分解説明図。
【図４】図３のIV−IV線断面説明図。
【図５】図３のＶ−Ｖ線断面説明図。
【図６】図３のVI−VI線断面説明図。
【図７】図３のVII−VII線断面説明図。
【図８】飾り枠の角部の一例を示す説明的底面図。
【図９】飾り枠の角部の他の例を示す説明的底面図。
【図１０】飾り枠の角部を示す説明的斜視図。
【図１１】カバー部材の一端部を示す説明的斜視図。
【符号の説明】
【００３０】
１…天板、２…面板、３…飾り枠、８…前枠片（横枠片）、９…左側枠片（縦枠片）、１０…右側枠片（縦枠片）、１１…後枠片（横枠片）、１２，２４…基枠部材、１３，２５…カバー部材、１４，３３，３９，４２…張出部、１５，２９…延出部、１６，３０…凹部、１７，３１…凸部、１８…パッキン、１９，３４，４１，４４…パッキン装着溝、２０，３５…縁面部、２１，３６…垂下壁部、２２，３７…係合凸部、２３，３８…係合凹部、４０，４３…壁板部、４５…当接部。
【図１】
2005188908.tif 000003
【図２】
2005188908.tif 000004
【図３】
2005188908.tif 000005
【図４】
2005188908.tif 000006
【図５】
2005188908.tif 000007
【図６】
2005188908.tif 000008
【図７】
2005188908.tif 000009
【図８】
2005188908.tif 000010
【図９】
2005188908.tif 000011
【図１０】
2005188908.tif 000012
【図１１】
2005188908.tif 000013